(57)【要約】【課題】簡易な構造で、道路表面上を流れてくる雨水等のみならず、側溝ブロックとの際にできた窪みに溜まる雨水等を、側溝ブロック内に排水することができるグレーチングを提供する。【解決手段】グレーチング３は、グレーチング本体１０と、側溝ブロック１の、一方の側壁１ａに設けられた上方および両側方へと開口する、嵌合凹部７に嵌まる、嵌合部１１とを備える。また、グレーチング３は、前記嵌合部１１の先端部から前記側溝ブロック１内に通じる、排水路１２を備えている。この排水路１２は、少なくとも、隣合う延出枠体部１７、１７の間に形成された、間隙と、前記延出枠体部１７、１７が延びる、隣合う第一枠体１６、１６の間に形成された、前記延出枠体部１７、１７間の前記間隙と連通する、間隙とからなる。【選択図】　図１
2004003249.tif 000002
【特許請求の範囲】
【請求項１】
道路に沿って設置される側溝ブロックの、上方に開口する開口部に、前記側溝ブロック内の水路を被うようにして配備される、グレーチングであって、
雨水等を排水するための、上下に貫通するようにして開口する排水口が、複数形成されているとともに、前記開口部に設けられた蓋掛かり段部に載せられる、グレーチング本体と、
そのグレーチング本体から、前記側溝ブロックの少なくとも一方の側壁に設けられた上方および両側方へと開口する嵌合凹部に延びて、その嵌合凹部に嵌まる、嵌合部と、
前記嵌合部の先端部から前記側溝ブロック内に通じる、排水路とを備えており、
前記グレーチング本体は、
間隔を置いて並設された複数の第一枠体を備えるとともに、載置部を備える、第一グレーチング本体と、
前記載置部と前記蓋掛かり段部とに掛け渡されるようにして、前記第一グレーチング本体と前記蓋掛かり段部とに着脱可能に載せられる、第二グレーチング本体とからなり、
前記嵌合部は、前記複数の第一枠体のうち少なくとも二つの第一枠体からそれぞれ延びる、複数の延出枠体部からなり、また、
前記排水路は、少なくとも、
隣合う前記延出枠体部の間に形成された、間隙と、
前記延出枠体部が延びる、隣合う前記第一枠体の間に形成された、前記延出枠体部間の前記間隙と連通する、間隙とからなることを特徴とするグレーチング。
【請求項２】
前記載置部に、第二グレーチング本体を、取り外し可能に固着するための、固着手段を備えることを特徴とする請求項１に記載のグレーチング。
【請求項３】
前記嵌合部は、前記グレーチング本体の一方側に設けられ、前記第一グレーチング本体は、前記蓋掛かり段部となる、前記嵌合凹部が設けられた側の側壁の第一段部に載せられる、第一基台を備え、前記複数の第一枠体は、前記第一基台上に載るようにして、間隔をおいて並設されており、また、
前記第二グレーチング本体は、前記蓋掛かり段部となる、前記嵌合凹部が設けられた側とは反対側の側壁の第二段部に載せられる、第二基台と、前記載置部に、一方の端部が載り、かつ、前記第二基台上に、他方の端部が載る第二枠体とを備えることを特徴とする請求項１または２に記載のグレーチング。
【請求項４】
前記載置部は、前記第一基台の上面からなることを特徴とする請求項３に記載のグレーチング。
【請求項５】
道路に沿って設置される側溝ブロックの、上方に開口する開口部に、前記側溝ブロック内の水路を被うようにして配備される、グレーチングであって、
雨水等を排水するための、上下に貫通するようにして開口する排水口が、複数形成されているとともに、前記開口部に設けられた蓋掛かり段部に載せられる、グレーチング本体と、
そのグレーチング本体から、前記側溝ブロックの少なくとも一方の側壁に設けられた上方および両側方へと開口する嵌合凹部に延びて、その嵌合凹部に嵌まる、嵌合部と、
前記嵌合部の先端部から前記側溝ブロック内に通じる、排水路とを備えており、
前記グレーチング本体は、間隔を置いて並設された複数の枠体を備え、
前記嵌合部は、前記複数の枠体のうち少なくとも二つの前記枠体からそれぞれ延びる、複数の延出枠体部からなり、また、
前記排水路は、
隣合う前記延出枠体部の間に形成された、間隙と、
前記延出枠体部が延びる、隣合う前記枠体の間に形成された、前記延出枠体部間の前記間隙と連通する、間隙とからなることを特徴とするグレーチング。
【請求項６】
前記グレーチング本体は、前記蓋掛かり段部に載せられる基台を備え、前記複数の枠体は、前記基台上に載るようにして、間隔をおいて並設されていることを特徴とする請求項５に記載のグレーチング。
【請求項７】
道路に沿って設置される側溝ブロックの、上方に開口する開口部に、前記側溝ブロック内の水路を被うようにして配備される、グレーチングであって、
雨水等を排水するための、上下に貫通するようにして開口する排水口が、複数形成されているとともに、前記開口部に設けられた蓋掛かり段部に載せられる、グレーチング本体と、
そのグレーチング本体から、前記側溝ブロックの少なくとも一方の側壁に設けられた上方および両側方へと開口する嵌合凹部に延びて、その嵌合凹部に嵌まる、嵌合部とを備えており、
前記嵌合部は、その嵌合部と、前記嵌合凹部の側面との間に、前記側溝ブロック内に通じる、集水間隙ができるように、前記嵌合凹部よりも幅狭に形成されていることを特徴とするグレーチング。
【請求項８】
請求項１ないし６のいずれか１項に記載のグレーチングと、前記側溝ブロックとを備える、排水構造であって、
前記側溝ブロックは、前記嵌合凹部が設けられた側壁が、前記道路側に配置されるようにして、前記道路に沿って埋設され、
前記グレーチングは、前記嵌合部が、前記嵌合凹部に嵌められ、前記グレーチング本体が、前記側溝ブロックの前記開口部に配備されることを特徴とする排水構造。
【請求項９】
前記側溝ブロックの、前記嵌合凹部が設けられた側壁には、前記嵌合凹部の底面から凹んで、前記嵌合凹部が設けられた側壁の両側方へと開口する、第一凹部が設けられており、
その第一凹部は、その上方が、前記嵌合部によって被われることを特徴とする請求項８項に記載の排水構造。
【請求項１０】
前記側溝ブロックの、前記嵌合凹部が設けられた側壁には、前記第一凹部と連通するように、前記蓋掛かり段部から凹んで、前記側溝ブロック内の水路に開口する、第二凹部が設けられていることを特徴とする請求項９に記載の排水構造。
【請求項１１】
前記嵌合部と、前記嵌合凹部の側面との間に、前記側溝ブロック内に通じる、集水間隙が形成されていることを特徴とする請求項８ないし１０のいずれか１項に記載の排水構造。
【請求項１２】
小石等の固形物の通過を防止するための、吸出し防止材が、前記排水路の先端にて開口する集水口部と、前記第一凹部の側方とを覆うようにして設けられていることを特徴する請求項９または１０に記載の排水構造。
【請求項１３】
請求項７に記載のグレーチングと、前記側溝ブロックとを備える、排水構造であって、
前記側溝ブロックは、前記嵌合凹部が設けられた側壁が、前記道路側に配置されるようにして、前記道路に沿って埋設され、
前記グレーチングは、前記嵌合部が、前記嵌合凹部に嵌められ、前記グレーチング本体が、前記側溝ブロックの前記開口部に配備され、
前記嵌合部と、前記嵌合凹部の側面との間に、前記側溝ブロック内に通じる、集水間隙が形成されていることを特徴する排水構造。
【請求項１４】
請求項１ないし６のいずれか１項に記載のグレーチングと、前記側溝ブロックとを備える、排水構造であって、
前記側溝ブロックは、前記嵌合凹部が設けられた側壁が、前記道路側に配置されるようにして、前記道路に沿って埋設され、
前記グレーチングは、前記嵌合部が、前記嵌合凹部に嵌められ、前記グレーチング本体が、前記側溝ブロックの前記開口部に配備され、
前記側溝ブロックの、前記嵌合凹部が設けられた側壁には、前記嵌合凹部の、外側の側方を覆うようにして立設された、前記道路と前記嵌合凹部とを隔てる、複数の隔て板が設けられており、
それら隔て板の間には、前記グレーチングの排水路に連通する、第一連通部が形成されており、その第一連通部は、上方に開口するように形成されているとともに、前記嵌合凹部の底面に至るまで連続して形成されていることを特徴とする排水構造。
【請求項１５】
前記複数の隔て板は、複数の板材からなり、
前記第一連通部は、前記板材間に形成された、間隙からなることを特徴とする請求項１４に記載の排水構造。
【請求項１６】
前記嵌合部と、前記嵌合凹部の側面との間に、前記側溝ブロック内に通じる、集水間隙が形成されており、また、
前記隔て板と、前記嵌合凹部の側面端部との間に、前記集水間隙に連通する、間隙からなる第二連通部が形成されていることを特徴とする請求項１４または１５に記載の排水構造。
【請求項１７】
小石等の固形物の通過を防止するための、吸出し防止材が、前記第一連通部と、前記第二連通部とを覆うようにして設けられていることを特徴する請求項１６に記載の排水構造。
【請求項１８】
請求項７に記載のグレーチングと、前記側溝ブロックとを備える、排水構造であって、
前記側溝ブロックは、前記嵌合凹部が設けられた側壁が、前記道路側に配置されるようにして、前記道路に沿って埋設され、
前記グレーチングは、前記嵌合部が、前記嵌合凹部に嵌められ、前記グレーチング本体が、前記側溝ブロックの前記開口部に配備され、
前記嵌合部と、前記嵌合凹部の側面との間に、前記側溝ブロック内に通じる、集水間隙が形成されており、また、
前記側溝ブロックの、前記嵌合凹部が設けられた側壁には、前記嵌合凹部の、外側の側方を覆うようにして立設された、前記道路と前記嵌合凹部とを隔てる、隔て板が設けられており、その隔て板と、前記嵌合凹部の側面端部との間に、前記集水間隙に連通する、間隙からなる連通部が形成されていることを特徴する排水構造。
【請求項１９】
前記側溝ブロックの、前記嵌合凹部が設けられた側壁には、前記蓋掛かり段部から凹んで、前記側溝ブロック内の水路に開口する、凹部が設けられていることを特徴とする請求項１４ないし１８のいずれか１項に記載の排水構造。
【請求項２０】
上方に開口する開口部に、内側の水路を被うようにしてグレーチングが配備される、側溝ブロックであって、
少なくとも一方の側壁には、前記グレーチングの嵌合部が嵌められる嵌合凹部が、上方および両側方へと開口するように形成されており、また、前記側壁には、前記嵌合凹部の、外側の側方を覆うようにして立設された、複数の隔て板が設けられており、
それら隔て板の間には、前記嵌合部の先端部から前記側溝ブロック内へと通じる排水路に連通する、第一連通部が形成されており、その第一連通部は、上方に開口するように形成されているとともに、前記嵌合凹部の底面に至るまで連続して形成されていることを特徴とする側溝ブロック。
【請求項２１】
前記複数の隔て板は、複数の板材からなり、
前記第一連通部は、前記板材間に形成された、間隙からなることを特徴とする請求項２０に記載の側溝ブロック。
【請求項２２】
前記隔て板と、前記嵌合凹部の側面端部との間に、間隙からなる第二連通部が形成されており、その第二連通部は、前記嵌合部と、前記嵌合凹部の側面との間に形成される、前記側溝ブロック内へと通じる集水間隙に連通することを特徴とする請求項２０または２１に記載の側溝ブロック。
【請求項２３】
上方に開口する開口部に、内側の水路を被うようにしてグレーチングが配備される、側溝ブロックであって、
少なくとも一方の側壁には、前記グレーチングの嵌合部が嵌められる嵌合凹部が、上方および両側方へと開口するように形成されており、また、前記側壁には、前記嵌合凹部の、外側の側方を覆うようにして立設された、隔て板が設けられており、その隔て板と、前記嵌合凹部の側面端部との間に、間隙からなる連通部が形成されており、その連通部は、前記嵌合部と、前記嵌合凹部の側面との間に形成される、前記側溝ブロック内へと通じる集水間隙に連通することを特徴とする側溝ブロック。
【発明の詳細な説明】
【０００１】
【発明の属する技術分野】
この発明は、道路に沿って設置される側溝ブロックの、上方に開口する開口部に、前記側溝ブロック内の水路を被うようにして配備される、グレーチング、そのグレーチングを備える排水構造および側溝ブロックに関するものである。
【０００２】
【従来の技術および発明が解決しようとする課題】
従来のグレーチングは、道路に沿って配置される、側溝ブロックとしてのＵ字型側溝ブロックの、開口部において、両側壁の上部に設けられた蓋掛かり段部に載せられるようにして配備されていた。そして、このグレーチングの上面は、Ｕ字型側溝ブロックの両側壁の上面と面一になっており、また、Ｕ字型側溝ブロックの、一方の側壁の上面は、道路の舗装面と面一になっていた。これによって、道路表面上を流れてくる、雨水等は、Ｕ字型側溝ブロックの、前記一方の側壁の上面を通って、グレーチングに流れて、さらに、このグレーチングから、Ｕ字型側溝ブロック内へと排水されるようになっていた。
【０００３】
ところが、道路の舗装面は、Ｕ字型側溝ブロックとの際あたりで、転圧を十分に行うことができない等の理由より、そのＵ字型側溝ブロックとの際で、部分的に、前記一方の側壁の上面よりも下がることがあった。このように、道路の舗装面が下がると、道路表面上を流れてくる、雨水等は、一方の側壁で止められて、その下がった部分で雨水等が溜まってしまうが、従来のグレーチングでは、そのようにして溜まった雨水等を、Ｕ字型側溝ブロック内に排水することができなった。
【０００４】
もっとも、側溝ブロックとの際に溜まった雨水を、その側溝ブロック内に排水することができるようにした発明として、例えば、特開平１１−２６９９６９に示される導水用部材があった。この導水用部材は、側溝ブロックの側壁または上壁に形成された、その外面から内面に連通する孔部または切欠部に装着されるものであって、板状基壁を備えていた。この板状基壁の表裏面間には、地中水または側溝ブロック側壁に接する地表水を側溝ブロック内へと導水するための、接水導水孔が設けられており、また、前記板状基壁の上部から延出される延設壁あるいは前記板状基壁の上側面には、地表水を側溝ブロック内へと導水するための、地表水導入孔が設けられていた。そして、道路の陥没等によって生じた、側溝ブロックに接する段差部分等の窪みに溜まった雨水等を、前記接水導水孔から、側溝ブロック内に導水していた。
【０００５】
ところが、この導水用部材においては、地表水導入孔と、接水導水孔とを、それぞれ異なる方向に、すなわち、地表水導入孔を上方に、また、接水導水孔を側方に、それぞれ開口させるため、地表水導入孔と接水導水孔とが、異なる方向に開口するように導水用部材を構成する必要があり、その構造が複雑となった。
【０００６】
この発明は、上記した従来の問題点を解決するためになされたものであり、その目的は、簡易な構造でありながら、道路表面上を流れてくる雨水等のみならず、側溝ブロックとの際にできた窪みに溜まる雨水等を、側溝ブロック内に排水することができるグレーチング、そのグレーチングを備える排水構造および側溝ブロックを提供することにある。
【０００７】
【課題を解決するための手段】
この発明に係るグレーチングは、前記目的を達成するために、次の構成からなる。すなわち、
請求項１に記載の発明に係るグレーチングは、道路に沿って設置される側溝ブロックの、上方に開口する開口部に、前記側溝ブロック内の水路を被うようにして配備される、グレーチングである。そして、このグレーチングは、雨水等を排水するための、上下に貫通するようにして開口する排水口が、複数形成されているとともに、前記開口部に設けられた蓋掛かり段部に載せられる、グレーチング本体と、そのグレーチング本体から、前記側溝ブロックの少なくとも一方の側壁に設けられた上方および両側方へと開口する嵌合凹部に延びて、その嵌合凹部に嵌まる、嵌合部と、前記嵌合部の先端部から前記側溝ブロック内に通じる、排水路とを備えている。そして、前記グレーチング本体は、間隔を置いて並設された複数の第一枠体を備えるとともに、載置部を備える、第一グレーチング本体と、前記載置部と前記蓋掛かり段部とに掛け渡されるようにして、前記第一グレーチング本体と前記蓋掛かり段部とに着脱可能に載せられる、第二グレーチング本体とからなり、前記嵌合部は、前記複数の第一枠体のうち少なくとも二つの第一枠体からそれぞれ延びる、複数の延出枠体部からなる。また、前記排水路は、少なくとも、隣合う前記延出枠体部の間に形成された、間隙と、前記延出枠体部が延びる、隣合う前記第一枠体の間に形成された、前記延出枠体部間の前記間隙と連通する、間隙とからなる。
【０００８】
これによれば、第一グレーチング本体の、延出枠体部が延びる複数の第一枠体を、間隔を置いて並設するという簡単な構成で、側方に開口するとともに、上方および下方に開口する、排水路が形成される。そして、側溝ブロックの少なくとも一方の側壁に設けられた嵌合凹部に、グレーチングの嵌合部を嵌めるようにして、側溝ブロックの開口部に、前記側溝ブロック内の水路を被うようにして、グレーチングを配備することにより、排水路は、前記嵌合部の先端部から、前記側溝ブロック内に通じることになる。かくして、道路表面上を流れてくる、雨水等は、グレーチングの排水口および排水路を介して、側溝ブロック内へと排水される。また、排水路は、嵌合部の先端部において、その上端から下端に至るまで連続して開口することになるので、側溝ブロックとの際あたりで、道路の舗装面が下がって窪んだとしても、嵌合部の先端部の上端から下端までの範囲内での下がりによる窪みであれば、その窪みの深さに関わりなく、窪みに溜まった雨水等を、排水路である、隣合う延出枠体部の間に形成された間隙、および、前記延出枠体部が延びる隣り合う第一枠体の間に形成された間隙を介して、側溝ブロック内に排水することが可能になる。また、道路が、透水層を備える透水性道路の場合、その透水層に染み込んだ雨水等は、前記排水路を通って、側溝ブロック内に排水されることになる。また、嵌合部が延びる第一グレーチング本体を、側溝ブロックに残して、第二グレーチング本体だけを、側溝ブロックから取り外すことも可能である。
【０００９】
また、請求項２に記載の発明に係るグレーチングのように、前記載置部に、第二グレーチング本体を、取り外し可能に固着するための、固着手段を備えるのが望ましい。これによれば、例えば、側溝ブロックに、載置部を備える第一グレーチング本体が固着されている場合には、第一グレーチング本体の載置部に、第二グレーチング本体を、固着手段を用いて、取り外し可能に固着することにより、第二グレーチング本体は、側溝ブロックから外れないようになる。
【００１０】
また、請求項３に記載の発明に係るグレーチングによれば、前記嵌合部は、前記グレーチング本体の一方側に設けられ、前記第一グレーチング本体は、前記蓋掛かり段部となる、前記嵌合凹部が設けられた側の側壁の第一段部に載せられる、第一基台を備え、前記複数の第一枠体は、前記第一基台上に載るようにして、間隔をおいて並設されている。また、前記第二グレーチング本体は、前記蓋掛かり段部となる、前記嵌合凹部が設けられた側とは反対側の側壁の第二段部に載せられる、第二基台と、前記載置部に、一方の端部が載り、かつ、前記第二基台上に、他方の端部が載る第二枠体とを備える。
【００１１】
嵌合凹部に、嵌合部を嵌めるようにして、前記嵌合凹部が設けられた側の側壁の第一段部に、第一グレーチング本体の第一基台を載せ、その後、第一グレーチング本体の載置部に、第二グレーチング本体の、第二枠体の一方の端部を載せるようにして、嵌合凹部が設けられた側とは反対側の側壁の第二段部に、第二グレーチング本体の第二基台を載せる。これにより、第一グレーチング本体の第一枠体と、第二グレーチング本体の第二枠体とが、側溝ブロックの開口部に配置される。そして、側溝ブロックとの際にできた窪みに溜まった雨水等、あるいは、透水性道路の透水層に染み込んだ雨水等は、排水路を通って、側溝ブロック内に排水される。
【００１２】
また、請求項４に記載の発明に係るグレーチングのように、前記載置部は、前記第一基台の上面からなるのが望ましい。これにより、載置部の構成が簡素化される。
【００１３】
また、請求項５に記載の発明に係るグレーチングは、道路に沿って設置される側溝ブロックの、上方に開口する開口部に、前記側溝ブロック内の水路を被うようにして配備される、グレーチングである。そして、このグレーチングは、雨水等を排水するための、上下に貫通するようにして開口する排水口が、複数形成されているとともに、前記開口部に設けられた蓋掛かり段部に載せられる、グレーチング本体と、そのグレーチング本体から、前記側溝ブロックの少なくとも一方の側壁に設けられた上方および両側方へと開口する嵌合凹部に延びて、その嵌合凹部に嵌まる、嵌合部と、前記嵌合部の先端部から前記側溝ブロック内に通じる、排水路とを備えている。また、前記グレーチング本体は、間隔を置いて並設された複数の枠体を備えている。そして、前記嵌合部は、前記複数の枠体のうち少なくとも二つの前記枠体からそれぞれ延びる、複数の延出枠体部からなり、また、前記排水路は、隣合う前記延出枠体部の間に形成された、間隙と、前記延出枠体部が延びる、隣合う前記枠体の間に形成された、前記延出枠体部間の前記間隙と連通する、間隙とからなる。
【００１４】
これによれば、グレーチング本体の、延出枠体部が延びる複数の枠体を、間隔を置いて並設するという簡単な構成で、側方に開口するとともに、上方および下方に開口する、排水路が形成される。そして、側溝ブロックの少なくとも一方の側壁に設けられた嵌合凹部に、グレーチングの嵌合部を嵌めるようにして、側溝ブロックの開口部に、前記側溝ブロック内の水路を被うようにして、グレーチングを配備することにより、排水路は、前記嵌合部の先端部から、前記側溝ブロック内に通じることになる。かくして、道路表面上を流れてくる、雨水等は、グレーチングの排水口および排水路を介して、側溝ブロック内へと排水される。また、排水路は、嵌合部の先端部において、その上端から下端に至るまで連続して開口することになるので、側溝ブロックとの際あたりで、道路の舗装面が下がって窪んだとしても、嵌合部の先端部の上端から下端までの範囲内での下がりによる窪みであれば、その窪みの深さに関わりなく、窪みに溜まった雨水等を、排水路である、隣合う延出枠体部の間に形成された間隙、および、前記延出枠体部が延びる隣り合う第一枠体の間に形成された間隙を介して、側溝ブロック内に排水することが可能になる。また、道路が、透水層を備える透水性道路の場合、その透水層に染み込んだ雨水等は、前記排水路を通って、側溝ブロック内に排水されることになる。
【００１５】
また、請求項６に記載の発明に係るグレーチングのように、前記グレーチング本体は、前記蓋掛かり段部に載せられる基台を備え、前記複数の枠体は、前記基台上に載るようにして、間隔をおいて並設されているのが望ましい。これによれば、嵌合凹部に、嵌合部を嵌めるようにして、側壁の蓋掛かり段部に、グレーチング本体の基台を載せることにより、グレーチング本体の、複数の枠体が、側溝ブロックの開口部に間隔をおいて並列配置される。そして、側溝ブロックとの際にできた窪みに溜まった雨水等、あるいは、透水性道路の透水層に染み込んだ雨水等は、排水路を通って、側溝ブロック内に排水される。
【００１６】
また、請求項７に記載の発明に係るグレーチングは、道路に沿って設置される側溝ブロックの、上方に開口する開口部に、前記側溝ブロック内の水路を被うようにして配備される、グレーチングである。そして、このグレーチングは、雨水等を排水するための、上下に貫通するようにして開口する排水口が、複数形成されているとともに、前記開口部に設けられた蓋掛かり段部に載せられる、グレーチング本体と、そのグレーチング本体から、前記側溝ブロックの少なくとも一方の側壁に設けられた上方および両側方へと開口する嵌合凹部に延びて、その嵌合凹部に嵌まる、嵌合部とを備えている。そして、前記嵌合部は、その嵌合部と、前記嵌合凹部の側面との間に、前記側溝ブロック内に通じる、集水間隙ができるように、前記嵌合凹部よりも幅狭に形成されている。
【００１７】
これによれば、側溝ブロックの少なくとも一方の側壁に設けられた嵌合凹部に、グレーチングの嵌合部を嵌めるようにして、側溝ブロックの開口部に、前記側溝ブロック内の水路を被うようにして、グレーチングを配備することにより、前記嵌合部と、前記嵌合凹部の側面との間に、側溝ブロック内に通じる、集水間隙が形成される。かくして、道路表面上を流れてくる、雨水等は、グレーチングの排水口を介して、側溝ブロック内へと排水される。また、側溝ブロックとの際にできた窪みに溜まった雨水等、あるいは、透水性道路の透水層に染み込んだ雨水等は、嵌合部と嵌合凹部の側面との間の集水間隙を通って、側溝ブロック内に排水される。
【００１８】
また、請求項８に記載の発明は、請求項１ないし６に記載のグレーチングと、前記側溝ブロックとを備える、排水構造である。そして、前記側溝ブロックは、前記嵌合凹部が設けられた側壁が、前記道路側に配置されるようにして、前記道路に沿って埋設され、前記グレーチングは、前記嵌合部が、前記嵌合凹部に嵌められ、前記グレーチング本体が、前記側溝ブロックの前記開口部に配備されている。これにより、道路表面上を流れてくる雨水等は、グレーチングの排水口および排水路を介して、側溝ブロック内へと排水される。また、側溝ブロックとの際あたりで、道路の舗装面が下がって窪んだとしても、嵌合部の先端部の上端から下端までの範囲内での下がりによる窪みであれば、その窪みの深さに関わりなく、窪みに溜まった雨水等を、排水路である、隣合う延出枠体部の間に形成された間隙、および、前記延出枠体部が延びる隣り合う第一枠体の間に形成された間隙を介して、側溝ブロック内に排水することが可能になる。また、透水性道路の透水層に染み込んだ雨水等は、排水路を通って、前記側溝ブロック内に排水される。
【００１９】
また、請求項９に記載の発明に係る、グレーチングを備える排水構造のように、前記側溝ブロックの、前記嵌合凹部が設けられた側壁には、前記嵌合凹部の底面から凹んで、前記嵌合凹部が設けられた側壁の両側方へと開口する、第一凹部が設けられており、その第一凹部は、その上方が、前記嵌合部によって被われているのが望ましい。これによれば、側溝ブロックの嵌合凹部に嵌められた嵌合部よりも下方に位置するように、第一凹部が設けられているので、道路が透水性道路の場合、前記嵌合部よりも下方に染み込んだ雨水等は、前記第一凹部を通って、側溝ブロック内に排水される。
【００２０】
また、請求項１０に記載の発明に係る、グレーチングを備える排水構造のように、前記側溝ブロックの、前記嵌合凹部が設けられた側壁には、前記第一凹部と連通するように、前記蓋掛かり段部から凹んで、前記側溝ブロック内の水路に開口する、第二凹部が設けられているのが望ましい。これにより、第一凹部を通った雨水等は、その第一凹部と連通する第二凹部を通って、側溝ブロック内の水路に排水される。
【００２１】
また、請求項１１に記載の発明に係る、グレーチングを備える排水構造のように、前記嵌合部と、前記嵌合凹部の側面との間に、前記側溝ブロック内に通じる、集水間隙が形成されているのが望ましい。これにより、雨水等は、嵌合部と嵌合凹部の側面との間の集水間隙をも通って、側溝ブロック内に排水される。
【００２２】
また、請求項１２に記載の発明に係る、グレーチングを備える排水構造のように、小石等の固形物の通過を防止するための、吸出し防止材が、前記排水路の先端にて開口する集水口部と、前記第一凹部の側方とを覆うようにして設けられているのが望ましい。これにより、排水路の集水口部と、側溝ブロックの第一凹部の側方は、吸出し防止材によって覆われて、小石等の固形物が、側溝ブロック内に入らないようになる。
【００２３】
また、請求項１３に記載の発明は、請求項７に記載のグレーチングと、前記側溝ブロックとを備える、排水構造である。そして、前記側溝ブロックは、前記嵌合凹部が設けられた側壁が、前記道路側に配置されるようにして、前記道路に沿って埋設され、前記グレーチングは、前記嵌合部が、前記嵌合凹部に嵌められ、前記グレーチング本体が、前記側溝ブロックの前記開口部に配備されている。そして、前記嵌合部と、前記嵌合凹部の側面との間に、前記側溝ブロック内に通じる、集水間隙が形成されている。これにより、道路表面上を流れてくる雨水等は、グレーチングの排水口を介して、側溝ブロック内へと排水される。また、側溝ブロックとの際あたりにできた窪みに溜まった雨水等を、嵌合部と嵌合凹部の側面との間の集水間隙を介して、側溝ブロック内に排水することが可能になる。
【００２４】
また、請求項１４に記載の発明は、請求項１ないし６のいずれか１項に記載のグレーチングと、前記側溝ブロックとを備える、排水構造である。そして、前記側溝ブロックは、前記嵌合凹部が設けられた側壁が、前記道路側に配置されるようにして、前記道路に沿って埋設され、前記グレーチングは、前記嵌合部が、前記嵌合凹部に嵌められ、前記グレーチング本体が、前記側溝ブロックの前記開口部に配備されている。そして、前記側溝ブロックの、前記嵌合凹部が設けられた側壁には、前記嵌合凹部の、外側の側方を覆うようにして立設された、前記道路と前記嵌合凹部とを隔てる、複数の隔て板が設けられており、それら隔て板の間には、前記グレーチングの排水路に連通する、第一連通部が形成されており、その第一連通部は、上方に開口するように形成されているとともに、前記嵌合凹部の底面に至るまで連続して形成されている。
【００２５】
これにより、道路表面上を流れてくる雨水等は、グレーチングの排水口および排水路を通って、側溝ブロック内に排水される。また、側溝ブロックとの際あたりで、道路の舗装面が下がって窪んだとしても、嵌合部の先端部の上端から下端までの範囲内での下がりによる窪みであれば、その窪みの深さに関わりなく、窪みに溜まった雨水等は、隔て板間に形成された第一連通部、および、その第一連通部と連通する排水路を通って、側溝ブロック内に排水される。そして、透水性道路の透水層に染み込んだ雨水等も、前記第一連通部および前記排水路を通って、前記側溝ブロック内に排水される。また、前記嵌合凹部に嵌められた前記嵌合部の先端部は、隔て板によって覆われるので、道路の舗装の際に、例えば、道路を構成するアスファルト等と、嵌合部の先端部とが縁切りされる。よって、グレーチングを、側溝ブロックから、容易に取り外すことができるようになる。また、グレーチングが取り外されたとしても、隔て板が、嵌合凹部の、外側の側方を覆っているので、前記嵌合凹部内に、道路の一部が、脱落しないようになる。
【００２６】
また、請求項１５に記載の発明に係る、グレーチングを備える排水構造のように、前記複数の隔て板は、複数の板材からなり、前記第一連通部は、前記板材間に形成された、間隙からなるのが望ましい。
【００２７】
また、請求項１６に記載の発明に係る、グレーチングを備える排水構造のように、前記嵌合部と、前記嵌合凹部の側面との間に、前記側溝ブロック内に通じる、集水間隙が形成されており、また、前記隔て板と、前記嵌合凹部の側面端部との間に、前記集水間隙に通じる、間隙からなる第二連通部が形成されているのが望ましい。これにより、雨水等は、前記隔て板と前記嵌合凹部の側面端部との間の第二連通部、および、嵌合部と嵌合凹部の側面との間の集水間隙を通って、側溝ブロック内に排水される。
【００２８】
また、請求項１７に記載の発明に係る、グレーチングを備える排水構造のように、小石等の固形物の通過を防止するための、吸出し防止材が、前記第一連通部と、前記第二連通部とを覆うようにして設けられているのが望ましい。これにより、第一連通部と第二連通部とが吸出し防止材によって覆われて、小石等の固形物が、側溝ブロック内に入らないようになる。
【００２９】
また、請求項１８に記載の発明は、請求項７に記載のグレーチングと、前記側溝ブロックとを備える、排水構造である。そして、前記側溝ブロックは、前記嵌合凹部が設けられた側壁が、前記道路側に配置されるようにして、前記道路に沿って埋設され、前記グレーチングは、前記嵌合部が、前記嵌合凹部に嵌められ、前記グレーチング本体が、前記側溝ブロックの前記開口部に配備されている。そして、前記嵌合部と、前記嵌合凹部の側面との間に、前記側溝ブロック内に通じる、集水間隙が形成されており、また、前記側溝ブロックの、前記嵌合凹部が設けられた側壁には、前記嵌合凹部の、外側の側方を覆うようにして立設された、前記道路と前記嵌合凹部とを隔てる、隔て板が設けられており、その隔て板と、前記嵌合凹部の側面端部との間には、前記集水間隙に連通する、間隙からなる連通部が形成されている。
【００３０】
これにより、道路表面上を流れてくる雨水等は、グレーチングの排水口を通って、側溝ブロック内に排水される。また、側溝ブロックとの際あたりにできた窪みに溜まった雨水等は、隔て板と、嵌合凹部の側面端部との間の連通部、および、その連通部と連通する集水間隙を通って、前記側溝ブロック内に排水される。そして、透水性道路の透水層に染み込んだ雨水等も、前記連通部および前記集水間隙を通って、前記側溝ブロック内に排水される。また、前記嵌合凹部に嵌められた前記嵌合部の先端部は、隔て板によって覆われるので、道路の舗装の際に、例えば、道路を構成するアスファルト等と、嵌合部の先端部とが縁切りされる。よって、グレーチングを、側溝ブロックから、容易に取り外すことができるようになる。また、グレーチングが取り外されたとしても、隔て板が、嵌合凹部の、外側の側方を覆っているので、前記嵌合凹部内に、道路の一部が、脱落しないようになる。
【００３１】
また、請求項１９に記載の発明に係る、グレーチングを備える排水構造のように、前記側溝ブロックの、前記嵌合凹部が設けられた側壁には、前記蓋掛かり段部から凹んで、前記側溝ブロック内の水路に開口する、凹部が設けられているのが望ましい。これにより、グレーチングの排水路、排水口あるいは集水間隙を通って、蓋掛かり段部に雨水等が流れた場合、その蓋掛かり段部上の雨水等は、凹部を通って、側溝ブロック内の水路に排水される。
【００３２】
また、請求項２０に記載の発明に係る側溝ブロックは、上方に開口する開口部に、内側の水路を被うようにしてグレーチングが配備される、側溝ブロックである。そして、少なくとも一方の側壁には、前記グレーチングの嵌合部が嵌められる嵌合凹部が、上方および両側方へと開口するように形成されており、また、前記側壁には、前記嵌合凹部の、外側の側方を覆うようにして立設された、複数の隔て板が設けられている。そして、それら隔て板の間には、前記嵌合部の先端部から前記側溝ブロック内へと通じる排水路に連通する、第一連通部が形成されており、その第一連通部は、上方に開口するように形成されているとともに、前記嵌合凹部の底面に至るまで連続して形成されている。
【００３３】
これによれば、前記嵌合凹部に嵌められた、グレーチングの嵌合部の先端部は、隔て板によって覆われるので、道路の舗装の際に、例えば、道路を構成するアスファルト等と、前記嵌合部の先端部とが縁切りされる。よって、グレーチングを、側溝ブロックから、容易に取り外すことができるようになる。また、グレーチングが取り外されたとしても、隔て板が、嵌合凹部の、外側の側方を覆っているので、前記嵌合凹部内に、道路の一部が、脱落しないようになる。
【００３４】
また、請求項２１に記載の発明に係る側溝ブロックのように、複数の隔て板は、複数の板材からなり、前記第一連通部は、前記板材間に形成された、間隙からなるのが望ましい。
【００３５】
また、請求項２２に記載の発明に係る側溝ブロックのように、前記隔て板と、前記嵌合凹部の側面端部との間に、間隙からなる第二連通部が形成されており、その第二欄通部は、前記嵌合部と、前記嵌合凹部の側面との間に形成される、前記側溝ブロック内へと通じる集水間隙に連通するのが望ましい。これにより、雨水等は、前記隔て板と前記嵌合凹部の側面端部との間に形成された第二連通部、および、嵌合部と嵌合凹部の側面との間の集水間隙を通って、側溝ブロック内に排水される。
【００３６】
また、請求項２３に記載の発明に係る側溝ブロックは、上方に開口する開口部に、内側の水路を被うようにしてグレーチングが配備される、側溝ブロックである。そして、少なくとも一方の側壁には、前記グレーチングの嵌合部が嵌められる嵌合凹部が、上方および両側方へと開口するように形成されており、また、前記側壁には、前記嵌合凹部の、外側の側方を覆うようにして立設された、隔て板が設けられている。そして、その隔て板と、前記嵌合凹部の側面端部との間に、間隙からなる連通部が形成されており、その連通部は、前記嵌合部と、前記嵌合凹部の側面との間に形成される、前記側溝ブロック内へと通じる集水間隙に連通する。
【００３７】
これによれば、前記嵌合凹部に嵌められた、グレーチングの嵌合部の先端部は、隔て板によって覆われるので、道路の舗装の際に、例えば、道路を構成するアスファルト等と、前記嵌合部の先端部とが縁切りされる。よって、グレーチングを、側溝ブロックから、容易に取り外すことができるようになる。また、グレーチングが取り外されたとしても、隔て板が、嵌合凹部の、外側の側方を覆っているので、前記嵌合凹部内に、道路の一部が、脱落しないようになる。
【００３８】
【発明の実施の形態】
以下、この発明に係るグレーチング、そのグレーチングを備える排水構造、および、側溝ブロックの一実施の形態を図面に基づいて説明する。
【００３９】
図１ないし図７は、本発明に係るグレーチング、そのグレーチングを備える排水構造、および、側溝ブロックの第一の実施の形態を示す。図中符号１は、道路としての、透水層２ａと、その下に位置する不透水層２ｂとを備える透水性道路２に沿って設置される、例えば、Ｕ字型側溝ブロック等の側溝ブロックである（図示実施の形態において、側溝ブロックの長手方向の寸法は２メートルである）。３は、側溝ブロック１の、上方に開口する開口部４に、側溝ブロック１内の水路Ｓを被うようにして配備される、グレーチングである。
【００４０】
側溝ブロック１は、一方の側壁１ａの上部内側に、グレーチング３または側溝蓋（図示なし）を載せるための蓋掛かり段部Ｒとなる、第一段部５を備えている。また、他方の側壁１ｂの上部内側に、グレーチング３または前記側溝蓋を載せるための蓋掛かり段部Ｒとなる、第二段部６を備えている。そして、一方の側壁１ａの上部には、上方および両側方へと開口する、嵌合凹部７が設けられている（図示実施の形態において、嵌合凹部７の長手方向の寸法は約５０センチメートルである）。
【００４１】
また、側溝ブロック１の、嵌合凹部７が設けられた側の側壁、つまり、一方の側壁１ａには、嵌合凹部７の底面７ａから凹んで、一方の側壁１ａの両側方へと開口する、第一凹部８が設けられており、この第一凹部８の底面と、第一段部５の底面とが面一になっている。また、側溝ブロック１の、一方の側壁１ａには、第一凹部８と連通し、かつ、蓋掛かり段部Ｒである、第一段部５から凹んで、側溝ブロック１内の水路Ｓに開口する、第二凹部９が設けられている（図示実施の形態においては、一方の側壁１ａの内側に向かうほど下がるように傾斜している）。
【００４２】
グレーチング３は、側溝ブロック１の開口部４において、一方の側壁１ａおよび他方の側壁１ｂに設けられた、蓋掛かり段部Ｒである、第一段部５および第二段部６に載せられる、グレーチング本体１０を備え、このグレーチング本体１０には、雨水等を排水するための、上下に貫通するようにして開口する、複数の排水口Ｈ、Ｈが形成されている。また、グレーチング３は、グレーチング本体１０から、嵌合凹部７に延びて、その嵌合凹部７に嵌まる、嵌合部１１（図示実施において嵌合部１１は、グレーチング本体１０の一方側にのみ設けられている。）を備えている。さらに、グレーチング３は、前記嵌合部１１の先端部から、側溝ブロック１内に通じる、排水路１２を備えている。
【００４３】
グレーチング本体１０は、載置部１３ａを備えるとともに前記嵌合部１１が延びる、第一グレーチング本体１３と、その第一グレーチング本体１３の載置部１３ａと蓋掛かり段部Ｒである第二段部６とに掛け渡されるようにして、前記第一グレーチング本体１３と前記第二段部６とに着脱可能に載せられる、第二グレーチング本体１４とからなっている。そして、嵌合部１１の上面１１ａと、前記第一グレーチング本体１３の上面１３ｂと、前記第二グレーチング本体１４の上面１４ａとが、ほぼ同じ高さとなっているとともに、嵌合部１１にも、第一グレーチング本体１３および第二グレーチング本体１４と同様に、雨水等を排水するための、上下に貫通するようにして開口する、複数の排水口Ｈ、Ｈが形成されている。
【００４４】
第一グレーチング本体１３は、蓋掛かり段部Ｒとなる、前記嵌合凹部７が設けられた側の側壁、つまり、一方の側壁１ａの第一段部５に載せられる、例えば角パイプ状の、第一基台１５を備えている。そして、この第一基台１５の上面の一部が前記載置部１３ａとなっている。また、この第一基台１５の両側部における上方内側面（載置部１３ａの下面に相当する面）には、載置部１３ａに、第二グレーチング本体１４を、取り外し可能に固着するための、固着手段ＮとしてナットＮ１が、溶着等によって取り付けられている。また、第一グレーチング本体１３は、前記第一基台１５上に間隔をおいて並設（図示実施の形態においては四列）された、前記排水口Ｈを備える複数の第一枠体１６、１６を備えている。この第一枠体１６は、区画材によって、外枠内が複数に区画されることにより、複数の排水口Ｈ、Ｈが形成された、平面視矩形状の格子体Ｗの一部（図６において、符号Ｌの範囲、すなわち、嵌合凹部７上に位置する部分を除いた部分）からなる。そして、格子体Ｗの残りの部分（図６において、符号Ｌ１の範囲、すなわち、嵌合凹部７上に位置する部分）が、前記複数の第一枠体１６のうち、少なくとも二つの前記第一枠体１６（図示実施の形態においては、全ての第一枠体１６）からそれぞれ延びる、延出枠体部１７からなる嵌合部１１となっている。なお、間隔をおいて並列配置された各格子体Ｗ、Ｗは、第一基台１５に溶着等により固着されている。
【００４５】
前記第二グレーチング本体１４は、蓋掛かり段部Ｒとなる、前記嵌合凹部７が設けられた側とは反対側の側壁、つまり、他方の側壁１ｂの第二段部６に載せられる、例えば角パイプ状の、第二基台１８と、前記載置部１３ａに、一方の端部が載るように、かつ、前記第二基台１８上に、他方の端部が載るようにして間隔をおいて並設（図示実施の形態においては四列）された、前記排水口Ｈを備える複数の第二枠体１９、１９とを備えている。この第二枠体１９は、平面視矩形状の格子体Ｗ１からなり、区画材によって、外枠内が複数に区画されることにより、複数の排水口Ｈ、Ｈが形成されている。そして、並設された複数の第二枠体１９、１９のうち、左右両側に位置する第二枠体１９の一方の端部には、固着手段ＮとしてのボルトＮ２を通すためのボルト通し空間Ｔが形成されており、かつ、このボルト通し空間Ｔに対応するように、前記第一基台１５の載置部１３ａには、貫通孔１９ａ、１９ａが設けられている。よって、前記固着手段ＮとしてのボルトＮ２が、前記ボルト通し空間Ｔに差し入れられるとともに、前記貫通孔１９ａに通されて、前記ナットＮ１にねじ込まれることにより、第二グレーチング本体１４は、前記載置部１３ａに取り外し可能に固着される。なお、間隔をおいて並列配置される各格子体Ｗ１、Ｗ１は、一方の端部側が、アングル材からなる固定部材Ｑに溶着等により固着され、また、他方の端部側が、前記第二基台１８に溶着等により固着されている。
【００４６】
排水路１２は、嵌合部１１に設けられた第一排水路２０と、第一グレーチング本体１３に設けられた第二排水路２１と、第二グレーチング本体１４に設けられた第三排水路２２とを備えている。そして、第一排水路２０は、隣合う前記延出枠体部１７、１７の間に形成された間隙からなり（よって、排水路１２の先端にて開口するその集水口部１２ａは、前記嵌合部１１の先端部の上端から下端に至るまで連続している）、第二排水路２１は、前記延出枠体部１７、１７が延びる隣合う前記第一枠体１６、１６の間に形成された、前記延出枠体部１７、１７の前記間隙と連通する、間隙からなり、第三排水路２２は、隣合う前記第二枠体１９、１９の間に形成された、前記第一枠体１６、１６間の前記間隙と連通する、間隙からなる。また、第二排水路２１および第三排水路２２は、前記排水口Ｈを兼ねているので、排水路１２は、前記側溝ブロック１内に通じる側が、前記排水口Ｈによって構成される。ただし、第三排水路２２は、排水路１２としても機能するが、主に、排水口Ｈとして機能する。
【００４７】
なお、図示実施の形態においては、第二グレーチング本体１４の一方の端部を、第一グレーチング本体１３の載置部１３ａに載せることにより、前記第一枠体１６と前記第二枠体１９とが、やや離れて隣接（図示実施の形態においては、第一枠体１６と第二枠体１９との間に、排水口Ｈおよび排水路１２を構成する、間隙Ｋが形成されている）するようになっており、これによって、第二排水路２１と第三排水路２２とが、やや離れて隣接して、連通するようになっている。もっとも、第一枠体１６と前記第二枠体１９とが、接触して隣接するようになっていてもよい。また、図示実施の形態においては、第一グレーチング本体１３を、側溝ブロック１の一方の側壁１ａに固着しない例について説明したが、ボルト付け、あるいは埋め込みなどによって、第一グレーチング本体１３が、前記一方の側壁１ａに固着されても構わない。
【００４８】
次に、この第一の実施の形態に示すグレーチング３の取り付け方法について説明する。まず、側溝ブロック１の嵌合凹部７に、グレーチング３の嵌合部１１を嵌めるようにして、前記嵌合凹部７が設けられた側の側壁、つまり、一方の側壁１ａの第一段部５に、第一グレーチング本体１３の第一基台１５を載せ、その後、第一グレーチング本体１３の載置部１３ａに、第二グレーチング本体１４の第二枠体１９の一方の端部を載せるようにして、前記嵌合凹部７が設けられた側とは反対側の側壁、つまり、他方の側壁１ｂの第二段部６に、第二グレーチング本体１４の第二基台１８を載せる。これにより、第一グレーチング本体１３の複数の第一枠体１６、１６と、第二グレーチング本体１４の複数の第二枠体１９、１９とが、側溝ブロック１の開口部４に間隔をおいて並列配置される。次に、第二グレーチング本体１４のボルト通し空間Ｔ、Ｔに、固定手段ＮとしてのボルトＮ２を差し入れて、第一グレーチング本体１３の、固定手段ＮとしてのナットＮ１にねじ込むことにより、第二グレーチング本体１４を、第一グレーチング本体１３の載置部１３ａに、取り外し可能に固着する。
【００４９】
このようにして、側溝ブロック１の嵌合凹部７に、グレーチング３の嵌合部１１を嵌めて、側溝ブロック１の開口部４に、前記側溝ブロック１内の水路Ｓを被うようにして、グレーチング３を配備することにより、排水路１２は、前記嵌合部１１の先端部から、前記側溝ブロック１内に通じることになる。また、第一凹部８は、その上方が、前記嵌合部１１によって被われて水路となり、その第一凹部８と第二凹部９とが、第一グレーチング本体１３の第一基台１５と、側溝ブロック１の、第一段部５の立ち上がり壁５ａとの間にできる間隙Ｋ１を介して連通するようになる。また、側溝ブロック１の、一方の側壁１ａには、小石等の固形物の通過を防止するための、吸出し防止材Ｐが、グレーチング３の排水路１２の前記集水口部１２ａと、前記第一凹部８の側方とを覆うように設けられている。この吸出し防止材Ｐは、一方の側壁１ａに、両面テープ等で貼り付けられている。
【００５０】
そして、側溝ブロック１との際あたりで、透水性道路２の舗装面２ｃの転圧を十分に行うことができない等の理由により、部分的に窪んで、その窪みＭに溜まった雨水等、あるいは、透水層２ａに染み込んだ雨水等は、排水路１２、すなわち、隣合う延出枠体部１７、１７の間に形成された、間隙からなる第一排水路２０から、前記延出枠体部１７、１７が延びる隣合う第一枠体１６、１６の間に形成された、間隙からなる第二排水路２１に流れて、側溝ブロック１内に排水されるか、あるいは、前記第二排水路２１から、さらに、隣合う第二枠体１９、１９の間に形成された、間隙からなる第三排水路２２に流れて、側溝ブロック１内に排水される。また、前記嵌合部１１よりも下方に染み込んだ雨水等は、前記第一凹部８を通ってから、その第一凹部８と連通する第二凹部９を通って、側溝ブロック１内の水路Ｓに排水される。
【００５１】
この第一の実施の形態に示すグレーチング３、そのグレーチング３、および、側溝ブロック１を備える排水構造によれば、第一グレーチング本体１３の、延出枠体部１７が延びる複数の第一枠体１６、１６を、間隔を置いて並設するという簡単な構成で、側方に開口するとともに、上方および下方に開口する、排水路１２が形成されることになる。しかも、延出枠体部１７、１７が延びる複数の第一枠体１６、１６の並べる数を変えることによって、排水路１２の数を、容易に加減することができる。さらに、隣り合う延出枠体部１７、１７の間の距離を変えることによって、排水路１２の集水口部１２ａの幅を、容易に変えることができる。
【００５２】
そして、道路としての透水性道路２の表面上を流れてくる雨水等は、グレーチング３の排水口Ｈおよび排水路１２を介して、側溝ブロック１内へと排水される。そして、側溝ブロック１との際にできた窪みＭに溜まる雨水等については、排水路１２から、側溝ブロック１内に排水することができる。また、透水性道路２の透水層２ａに染み込んだ雨水等についても、排水路１２から、側溝ブロック１内に排水することができる。また、第一枠体１６の第二排水路２１と、第二枠体１９の第三排水路２２とが隣接するので、雨水等の排水を円滑に行うことができる。
【００５３】
また、透水性道路２の舗装面２ｃが下がって窪んだ窪みＭの深さが、嵌合部１１の先端部の上端から下端までの範囲内での下がりによる窪みであれば、その窪みＭの深さに関わりなく、窪みＭに溜まった雨水等を、前記嵌合部１１の先端部に開口する、排水路１２の集水口部１２ａから集水して、側溝ブロック１内に常に排水することができる。よって、前記窪みＭに溜まる雨水等の排水性に優れる。また、排水路１２は、前記側溝ブロック１内に通じる側が、排水口Ｈによって構成されているので、排水路１２の構成を簡素化することができる。また、側溝ブロック１の嵌合凹部７に嵌められた嵌合部１１よりも下方に位置するように、第一凹部８が設けられているので、前記嵌合部１１よりも下方に染み込んだ雨水等を、第一凹部８から、その第一凹部８と間隙Ｋ１を介して連通する第二凹部９に通して、側溝ブロック１内の水路Ｓに、確実に排水することができる。
【００５４】
また、グレーチング本体１０は、嵌合部１１が延びる第一グレーチング本体１３と、第二グレーチング本体１４とからなっているので、嵌合部１１が延びる第一グレーチング本体１３を、側溝ブロック１に残して、第二グレーチング本体１４だけを、側溝ブロック１から取り外すことができるので、水路Ｓの清掃など側溝ブロック１のメンテナンスが容易である。また、第二グレーチング本体１４は、固着手段Ｎによって、第一グレーチング本体１３の載置部１３ａに、取り外し可能に固着されているので、例えば、側溝ブロック１に、第一グレーチング本体１３が固着されている場合には、第二グレーチング本体１４は、側溝ブロック１から外れないようになる。また、載置部１３ａは、第一グレーチング本体１３の、第一基台１５の上面からなるので、載置部１３ａの構成を簡素化することができる。
【００５５】
また、排水路１２の集水口部１２ａと、第一凹部８の側方とが、吸出し防止材Ｐによって覆れているので、小石等の固形物が、側溝ブロック１内に入らないようになる。
【００５６】
図８ないし図１４は、本発明に係るグレーチング、そのグレーチングを備える排水構造、および、側溝ブロック１の第二の実施の形態を示す。図中符号１は、道路としての、透水層２ａと、その下に位置する不透水層２ｂとを備える透水性道路２に沿って設置される、例えば、Ｕ字型側溝ブロック等の側溝ブロックである（図示実施の形態において、側溝ブロックの長手方向の寸法は１メートルである）。３は、側溝ブロック１の、上方に開口する開口部４に、側溝ブロック１内の水路Ｓを被うようにして配備される、グレーチングである。
【００５７】
側溝ブロック１は、一方の側壁１ａの上部内側に、グレーチング３または側溝蓋（図示なし）を載せるための蓋掛かり段部Ｒとなる、第一段部５を備えている。また、他方の側壁１ｂの上部内側に、グレーチング３または前記側溝蓋を載せるための蓋掛かり段部Ｒとなる、第二段部６を備えている。そして、一方の側壁１ａの上部には、上方および両側方へと開口する、嵌合凹部７が設けられている（図示実施の形態において、嵌合凹部７の長手方向の寸法は約２６センチメートルである）。
【００５８】
また、側溝ブロック１の、嵌合凹部７が設けられた側の側壁、つまり、一方の側壁１ａには、嵌合凹部７の底面７ａから凹んで、一方の側壁１ａの両側方へと開口する、第一凹部８が設けられており、この第一凹部８の底面と、第一段部５の底面とが面一になっている。また、側溝ブロック１の、一方の側壁１ａには、第一凹部８と連通し、かつ、蓋掛かり段部Ｒである、第一段部５から凹んで、側溝ブロック１内の水路Ｓに開口する、第二凹部９が設けられている（図示実施の形態においては、一方の側壁１ａの内側に向かうほど下がるように傾斜している）。
【００５９】
グレーチング３は、側溝ブロック１の開口部４において、一方の側壁１ａおよび他方の側壁１ｂに設けられた、蓋掛かり段部Ｒである、第一段部５および第二段部６に載せられる、グレーチング本体１０を備え、このグレーチング本体１０には、雨水等を排水するための、上下に貫通するようにして開口する、複数の排水口Ｈ、Ｈが形成されている。また、グレーチング３は、グレーチング本体１０から、嵌合凹部７に延びて、その嵌合凹部７に嵌まる、嵌合部１１（図示、実施において嵌合部１１は、グレーチング本体１０の一方側にのみ設けられている。）を備えている。嵌合部１１にも、グレーチング本体１０と同様に、雨水等を排水するための、上下に貫通するようにして開口する、複数の排水口Ｈ、Ｈが形成されている。さらに、グレーチング３は、前記嵌合部１１の先端部から、側溝ブロック１内に通じる、排水路１２を備えている。
【００６０】
グレーチング本体１０は、蓋掛かり段部Ｒである第一段部５に載せられる、例えば角パイプ状の、第一基台２５と、蓋掛かり段部Ｒである第二段部６に載せられる、例えば角パイプ状の、第二基台２６を備えている。また、グレーチング本体１０は、第一基台２５と第二基台２６とに掛け渡されて、それら第一基台２５および第二基台２６上に載るようにして間隔をおいて並設（図示実施の形態においては四列）された、前記排水口Ｈを備える複数の枠体２７、２７を備えている。枠体２７は、区画材によって、外枠内が複数に区画されることにより、複数の排水口Ｈ、Ｈが形成された、平面視矩形状の格子体Ｗ２からなる。そして、複数並設された枠体２７、２７の内の、少なくとも二つの前記枠体２７、２７（図示実施の形態においては、中央の二つの枠体２７、２７）から、延出枠体部１７、１７からなる嵌合部１１（図１２において、符号Ｌ１の範囲、すなわち、嵌合凹部７上に位置する部分）がそれぞれ延びている。また、嵌合部１１は、その嵌合部１１の側面と、前記嵌合凹部７の側面７ｂとの間に、側溝ブロック１内に通じる集水間隙Ｋ２ができるように、前記嵌合凹部７よりも幅狭に（図示実施の形態において、嵌合部１１の長手方向の寸法は約２４．７センチメートルである。）形成されており、その集水間隙Ｋ２は、嵌合部１１の先端部の上端から下端に至るまで連続している。そして、嵌合部１１の上面１１ａと、グレーチング本体１０の上面１０ａとが同じ高さとなっている。なお、間隔をおいて並列配置された各格子体Ｗ２、Ｗ２は、両基台２５、２６に溶着等により固着されている。
【００６１】
排水路１２は、隣合う前記延出枠体部１７、１７の間に形成された間隙からなる第一排水路Ｋ３（よって、排水路１２の先端にて開口するその集水口部１２ａは、前記嵌合部１１の先端部の上端から下端に至るまで連続している。）と、前記延出枠体部１７、１７が延びる隣合う前記枠体２７、２７の間に形成された、前記延出枠体部１７、１７間の前記間隙と連通する間隙からなる第二排水路Ｋ４とからなる。また、第二排水路Ｋ４は、前記排水口Ｈを兼ねているので、排水路１２は、前記側溝ブロック１内に通じる側が、前記排水口Ｈによって構成される。なお、図示実施の形態において、第二排水路Ｋ４は、嵌合部１１の先端部から離れるにつれて、排水路１２として機能しなくなり、主に、排水口Ｈとして機能する。
【００６２】
次に、この第二の実施の形態に示すグレーチング３の取り付け方法について説明する。まず、側溝ブロック１の嵌合凹部７に、グレーチング３の嵌合部１１を嵌めるようにして、前記嵌合凹部７が設けられた側の側壁、つまり、一方の側壁１ａの第一段部５に、グレーチング本体１０の第一基台２５を載せるとともに、前記嵌合凹部７が設けられた側とは反対側の側壁、つまり、他方の側壁１ｂの第二段部６に、グレーチング本体１０の第二基台２６を載せる。これにより、グレーチング本体１０の枠体２７が、側溝ブロック１の開口部４に間隔をおいて並列配置される。そして、嵌合部１１の側面と、嵌合凹部７の側面７ｂとの間に、集水間隙Ｋ２が形成される。
【００６３】
このようにして、側溝ブロック１の嵌合凹部７に、グレーチング３の嵌合部１１を嵌めて、側溝ブロック１の開口部４に、前記側溝ブロック１内の水路Ｓを被うようにして、グレーチング３を配備することにより、排水路１２は、前記嵌合部１１の先端部から、前記側溝ブロック１内に通じることになる。また、第一凹部８は、その上方が、前記嵌合部１１によって被われて水路となり、その第一凹部８と第二凹部９とが、グレーチング本体１０の第一基台２５と、側溝ブロック１の、第一段部５の立ち上がり壁５ａとの間にできる間隙Ｋ１を介して連通するようになる。また、側溝ブロック１の、一方の側壁１ａには、小石等の固形物の通過を防止するための、吸出し防止材Ｐが、グレーチング３の排水路１２の前記集水口部１２ａと、前記第一凹部８の側方と、嵌合部１１の側面と、嵌合凹部７の側面７ｂとの間に形成された集水間隙Ｋ２の側方とを覆うように設けられている。この吸出し防止材Ｐは、一方の側壁１ａに、両面テープ等で貼り付けられている。
【００６４】
そして、側溝ブロック１との際あたりで、透水性道路２の舗装面２ｃの転圧を十分に行うことができない等の理由により、部分的に窪んで、その窪みＭに溜まった雨水等、あるいは、透水層２ａに染み込んだ雨水等は、排水路１２、すなわち、隣合う延出枠体部１７、１７の間に形成された、間隙からなる第一排水路Ｋ３から、前記延出枠体部１７、１７が延びる隣合う枠体２７、２７の間に形成された、間隙からなる第二排水路Ｋ４に流れて、側溝ブロック１内に排水されるか、嵌合部１１の側面と、嵌合凹部７の側面７ｂとの間に形成された集水間隙Ｋ２に流れて、側溝ブロック１内に排水される。また、前記嵌合部１１よりも下方に染み込んだ雨水等は、前記第一凹部８を通ってから、その第一凹部８と連通する第二凹部９を通って、側溝ブロック１内の水路Ｓに排水される。
【００６５】
この第二の実施の形態に示すグレーチング３、そのグレーチング３、および、側溝ブロック１を備える排水構造によれば、グレーチング本体１０の、延出枠体部１７、１７が延びる複数の枠体２７、２７を、間隔を置いて並設するという簡単な構成で、側方に開口するとともに、上方および下方に開口する、排水路１２が形成される。しかも、延出枠体部１７が延びる複数の枠体２７、２７の並べる数を変えることによって、排水路１２の数を、容易に加減することができる。さらに、隣り合う延出枠体部１７、１７の間の距離を変えることによって、排水路１２の集水口部１２ａの幅を、容易に変えることができる。
【００６６】
そして、道路としての透水性道路２の表面上を流れてくる雨水等は、グレーチング３の排水口Ｈおよび排水路１２を介して、側溝ブロック１内へと排水される。そして、側溝ブロック１との際にできた窪みＭに溜まる雨水等については、排水路１２と、嵌合部１１の側面と、嵌合凹部７の側面７ｂとの間に形成された集水間隙Ｋ２とから、側溝ブロック１内に排水することができる。また、透水性道路２の透水層２ａに染み込んだ雨水等についても、前記排水路１２と前記集水間隙Ｋ２とから、側溝ブロック１内に排水することができる。
【００６７】
また、透水性道路２の舗装面２ｃが下がって窪んだ窪みＭの深さが、嵌合部１１の先端部の上端から下端までの範囲内での下がりによる窪みであれば、その窪みＭの深さに関わりなく、窪みＭに溜まった雨水等を、前記嵌合部１１の先端部に開口する、排水路１２の集水口部１２ａと、集水間隙Ｋ２の開口とから集水して、側溝ブロック１内に常に排水することができる。よって、前記窪みＭに溜まる雨水等の排水性に優れる。また、排水路１２は、前記側溝ブロック１内に通じる側が、排水口Ｈによって構成されているので、排水路１２の構成を簡素化することができる。また、側溝ブロック１の嵌合凹部７に嵌められた嵌合部１１よりも下方に位置するように、第一凹部８が設けられているので、前記嵌合部１１よりも下方に染み込んだ雨水等を、第一凹部８から、その第一凹部８と間隙Ｋ１を介して連通する第二凹部９に通して、側溝ブロック１内の水路Ｓに、確実に排水することができる。
【００６８】
また、排水路１２の集水口部１２ａと、第一凹部８の側方と、集水間隙Ｋ２の開口とが、吸出し防止材Ｐによって覆れているので、小石等の固形物が、側溝ブロック１内に入らないようになる。
【００６９】
図１５ないし図１９は、本発明に係るグレーチング、そのグレーチングを備える排水構造、および、側溝ブロック１の第三の実施の形態を示す。図中符号１は、道路としての、透水層２ａと、その下に位置する不透水層２ｂとを備える透水性道路２に沿って設置される、例えば、Ｕ字型側溝ブロック等の側溝ブロックである。３は、側溝ブロック１の、上方に開口する開口部４に、側溝ブロック１内の水路Ｓを被うようにして配備される、グレーチングである。
【００７０】
側溝ブロック１は、一方の側壁１ａの上部内側に、グレーチング３または側溝蓋（図示なし）を載せるための蓋掛かり段部Ｒとなる、第一段部５を備えている。また、他方の側壁１ｂの上部内側に、グレーチング３または前記側溝蓋を載せるための蓋掛かり段部Ｒとなる、第二段部６を備えている。そして、一方の側壁１ａの上部には、上方および両側方へと開口する、嵌合凹部７が設けられている。また、一方の側壁１ａには、嵌合凹部７の、外側の側方を覆うようにして立設された、前記透水性道路２と前記嵌合凹部７とを隔てる、複数（図示実施の形態においては二枚）の隔て板２８、２８が設けられている。この複数の隔て板２８、２８は、ともに、例えば、縦断面Ｌ字形状の板材２８ａ、２８ａからなり、その下部が、一方の側壁１ａに埋設されている。これら隔て板２８、２８の間には、グレーチング３の排水路１２に連通する、第一連通部２９が形成されている。図示実施の形態において、前記第一連通部２９は、板材２８ａ間に形成された間隙からなる。よって、第一連通部２９は、上方に開口するように形成されているとともに、側方に開口するように形成されている。また、各隔て板２８の側部と、嵌合凹部７の側面７ｂ端部との間に、間隙からなる第二連通部３０が形成されており、この第二連通部３０は、グレーチング３の嵌合部１１の側面と、嵌合凹部７の側面７ｂとの間に形成された、集水間隙Ｋ２に連通している。
【００７１】
また、側溝ブロック１の、嵌合凹部７が設けられた側の側壁、つまり、一方の側壁１ａには、蓋掛かり段部Ｒである、第一段部５から凹んで、側溝ブロック１内の水路Ｓに開口する、凹部３１が設けられている（図示実施の形態においては、一方の側壁１ａの内側に向かうにつれて下がるように傾斜している）。
【００７２】
グレーチング３は、第二の実施の形態のグレーチング３とほぼ同じ構成であって、第一段部５および第二段部６に載せられる、グレーチング本体１０を備え、このグレーチング本体１０には、雨水等を排水するための、複数の排水口Ｈ、Ｈが形成されている。また、グレーチング３は、グレーチング本体１０から、嵌合凹部７に延びて、その嵌合凹部７に嵌まる、嵌合部１１（図示実施の形態において嵌合部１１は、グレーチング本体１０の一方側にのみ設けられている。）を備えている。嵌合部１１にも、複数の排水口Ｈ、Ｈが形成されている。そして、グレーチング３は、前記嵌合部１１の先端部から、側溝ブロック１内に通じる、排水路１２を備えている。
【００７３】
排水路１２は、隣合う前記延出枠体部１７、１７の間に形成された間隙からなる第一排水路Ｋ３（よって、排水路１２の先端にて開口するその集水口部１２ａは、前記嵌合部１１の先端部の上端から下端に至るまで連続している。）と、前記延出枠体部１７、１７が延びる隣合う前記枠体２７、２７の間に形成された、前記延出枠体部１７、１７間の前記間隙と連通する間隙からなる第二排水路Ｋ４とからなる。また、第二排水路Ｋ４は、前記排水口Ｈを兼ねているので、排水路１２は、前記側溝ブロック１内に通じる側が、前記排水口Ｈによって構成される。なお、図示実施の形態において、第二排水路Ｋ４は、嵌合部１１の先端部から離れるにつれて、排水路１２として機能しなくなり、主に、排水口Ｈとして機能する。
【００７４】
次に、この第三の実施の形態に示すグレーチング３の取り付け方法について説明する。まず、側溝ブロック１の嵌合凹部７に、グレーチング３の嵌合部１１を嵌めるようにして、前記嵌合凹部７が設けられた側の側壁、つまり、一方の側壁１ａの第一段部５に、グレーチング本体１０の第一基台２５を載せるとともに、前記嵌合凹部７が設けられた側とは反対側の側壁、つまり、他方の側壁１ｂの第二段部６に、グレーチング本体１０の第二基台２６を載せる。これにより、グレーチング本体１０の枠体２７が、側溝ブロック１の開口部４に間隔をおいて並列配置されるとともに、嵌合部１１の先端部は、複数の隔て板２８、２８に当接もしくは近接して、それら隔て板２８、２８によって覆われる。よって、道路としての透水性道路２の舗装の際に、例えば、透水性道路２を構成する透水層２ａのアスファルトあるいはポーラスコンクリート等と、嵌合部１１の先端部とが縁切りされる。また、嵌合部１１の側面と、嵌合凹部７の側面７ｂとの間に、集水間隙Ｋ２が形成され、この集水間隙Ｋ２は、隔て板２８、２８の側部と、嵌合凹部７の側面７ｂ端部との間に形成された、間隙からなる第二連通部３０と連通する。
【００７５】
このようにして、側溝ブロック１の嵌合凹部７に、グレーチング３の嵌合部１１を嵌めて、側溝ブロック１の開口部４に、前記側溝ブロック１内の水路Ｓを被うようにして、グレーチング３を配備することにより、排水路１２は、前記嵌合部１１の先端部から、前記側溝ブロック１内に通じることになる。しかも、その排水路１２は、第一連通部２９と連通することになる。また、排水路１２と凹部３１とが、グレーチング本体１０の第一基台２５と、側溝ブロック１の、第一段部５の立ち上がり壁５ａとの間にできる間隙Ｋ１を介して連通するようになる。また、側溝ブロック１の、一方の側壁１ａには、小石等の固形物の通過を防止するための、吸出し防止材Ｐが、第一連通部２９と、第二連通部３０とを覆うようにしてに設けられている。この吸出し防止材Ｐは、一方の側壁１ａに、両面テープ等で貼り付けられている。
【００７６】
そして、側溝ブロック１との際あたりで、透水性道路２の舗装面２ｃの転圧を十分に行うことができない等の理由により、部分的に窪んで、その窪みＭに溜まった雨水等、あるいは、透水層２ａに染み込んだ雨水等は、第一連通部２９を通るとともに、排水路１２、すなわち、隣合う延出枠体部１７、１７の間に形成された、間隙からなる第一排水路Ｋ３から、前記延出枠体部１７、１７が延びる隣合う枠体２７、２７の間に形成された、間隙からなる第二排水路Ｋ４に流れて、側溝ブロック１内に排水されるか、第二連通部３０を通って、嵌合部１１の側面と、嵌合凹部７の側面７ｂとの間に形成された、集水間隙Ｋ２に流れて、側溝ブロック１内に排水される。また、排水路１２を通って、蓋掛かり段部Ｒに雨水等が流れた場合には、凹部３１を通って、側溝ブロック１内の水路Ｓに排水される。
【００７７】
この第三の実施の形態に示すグレーチング３、そのグレーチング３、および、側溝ブロック１を備える排水構造によれば、グレーチング本体１０の、延出枠体部１７が延びる複数の枠体２７、２７を、間隔を置いて並設するという簡単な構成で、側方に開口するとともに、上方および下方に開口する、排水路１２が形成される。しかも、延出枠体部１７が延びる複数の枠体２７、２７の並べる数を変えることによって、排水路１２の数を、容易に加減することができる。さらに、隣り合う延出枠体部１７、１７の間の距離を変えることによって、排水路１２の集水口部１２ａの幅を、容易に変えることができる。
【００７８】
そして、道路としての透水性道路２の表面上を流れてくる雨水等は、グレーチング３の排水口Ｈおよび排水路１２を介して、側溝ブロック１内へと排水される。そして、側溝ブロック１との際にできた窪みＭに溜まる雨水等については、排水路１２と、嵌合部１１の側面と、嵌合凹部７の側面７ｂとの間に形成された集水間隙Ｋ２とから、側溝ブロック１内に排水することができる。また、透水性道路２の透水層２ａに染み込んだ雨水等についても、前記排水路１２と前記集水間隙Ｋ２とから、側溝ブロック１内に排水することができる。
【００７９】
また、透水性道路２の舗装面２ｃが下がって窪んだ窪みＭの深さが、嵌合部１１の先端部の上端から下端までの範囲内、つまり、第一連通部２９の上下方向の範囲での下がりによる窪みであれば、その窪みＭの深さに関わりなく、窪みＭに溜まった雨水等を、第一連通部２９および第二連通部３０を介して、前記嵌合部１１の先端部に開口する、排水路１２の集水口部１２ａと、集水間隙Ｋ２の開口とから集水して、側溝ブロック１内に常に排水することができる。よって、側溝ブロック１との際にできた窪みＭに溜まる雨水等の排水性に優れる。また、排水路１２は、前記側溝ブロック１内に通じる側が、排水口Ｈによって構成されているので、排水路１２の構成を簡素化することができる。また、排水路１２を通って、蓋掛かり段部Ｒに雨水等が流れた場合、その蓋掛かり段部Ｒ上の雨水等を、凹部３１から、側溝ブロック１内の水路Ｓに、確実に排水することができる。
【００８０】
また、嵌合部１１は、隔て板２８、２８によって覆われるので、例えば、透水性道路２を構成する透水層２ａのアスファルトあるいはポーラスコンクリート等と、嵌合部１１の先端部とが縁切りされて、グレーチング３を、側溝ブロック１から、容易に取り外すことができる。しかも、グレーチング３を取り外しても、隔て板２８、２８が、嵌合凹部７の、外側の側方を覆っているので、嵌合凹部７内に、透水性道路２を構成する透水層２ａの一部が、脱落しないようにすることができる。また、排水路１２の集水口部１２ａに通じる第一連通部２９と、集水間隙Ｋ２に連通する第二連通部３０とが、吸出し防止材Ｐによって覆れているので、小石等の固形物が、側溝ブロック１内に入らないようになる。
【００８１】
なお、本発明に係るグレーチング３は、上述した実施の形態に限定されるわけではなく、その他種々の変更が可能である。例えば、第一の実施の形態のグレーチング３、そのグレーチング３を備える排水構造、および、側溝ブロック１は、グレーチング本体１０が、第一グレーチング本体１３と、第二グレーチング本体１４とからなり、この第二グレーチング本体１４は、固着手段Ｎによって、第一グレーチング本体１３の載置部１３ａに、取り外し可能に固着されているが、固着手段Ｎを備えないグレーチング３であってもよい。また、第一グレーチング本体１３の、複数の第一枠体１６、１６全てから、延出枠体部１７からなる嵌合部１１が延びている必要はなく、二つ以上の、一部の第一枠体１６から延びていればよい。
【００８２】
また、第一の実施の形態のグレーチング３、そのグレーチング３を備える排水構造、および、側溝ブロック１は、嵌合凹部７に嵌合部１１がぴったりと嵌まっているが、嵌合凹部７の側面７ｂとの間に、側溝ブロック１内に通じる間隙ができるように、嵌合部１１が、嵌合凹部７よりも幅狭に形成されていてもよい。これにより、その間隙からも雨水等が、側溝ブロック内に排水されるようになる。
【００８３】
また、第一の実施の形態のグレーチング３、そのグレーチング３を備える排水構造、および、側溝ブロック１において、第二グレーチング本体１４は、間隔をおいて並設された複数の第二枠体１９、１９を備えるものとして説明したが、同第二グレーチング本体１４は、一つのみの第二枠体１９を備えるものであってもよい。つまり、第二枠体１９は、一つの格子体（例えば、図７において、並設された４つの格子体Ｗ１全体に相当する大きさからなる、一つの大きな格子体）からなり、したがって、前記第二グレーチング本体１４は、第三排水路２２を構成する間隙を有しないものであっても構わない。よって、この場合における第二グレーチング本体１４は、固定部材Ｑを備える必要がなく、また、第二基台１８についても、第二枠体（格子体）と別体で成形される必要はなく、第二枠体（格子体）の一部分が第二基台１８として機能するものであっても構わない。
【００８４】
また、第一および第二の実施の形態のグレーチング３、そのグレーチング３を備える排水構造、および、側溝ブロック１において、窪みＭに溜まった雨水等、あるいは、透水性道路２の透水層２ａに染み込んだ雨水等を排水する機能を高めるために、嵌合部１１の先端部を構成する、延出枠体部１７の先端面に、貫通孔からなる複数の排水孔を付設してもよい。
【００８５】
また、第二および第三の実施の形態のグレーチング３、そのグレーチング３を備える排水構造、および、その側溝ブロック１は、間隔をおいて並設された枠体２７、２７の内の、中央の二つの枠体２７から、延出枠体部１７、１７からなる嵌合部１１が延びているが、３つ以上の、一部の枠体２７から延びていてもよく、あるいは、全ての枠体２７から延びていてもよい。
【００８６】
また、第二および第三の実施の形態のグレーチング３、そのグレーチング３を備える排水構造、および、側溝ブロック１は、嵌合凹部７の側面７ｂとの間に、側溝ブロック１内に通じる集水間隙Ｋ２ができるように、嵌合部１１が、嵌合凹部７よりも幅狭に形成されているが、嵌合部１１は、嵌合凹部７にぴったりと嵌まるように、つまり、集水間隙Ｋ２ができないように形成されていてもよい。この場合、第三の実施の形態においては、集水間隙Ｋ２に通じる第二連通部３０を設けなくてもよいことは勿論である。
【００８７】
また、第二および第三の実施の形態のグレーチング３、そのグレーチング３を備える排水構造、および、側溝ブロック１において、前記グレーチング３のグレーチング本体１０は、第一の実施の形態と同様に、第一グレーチング本体と、第二グレーチング本体との分割体から構成されていてもよい。
【００８８】
また、第一および第二の実施の形態に示すグレーチング３、そのグレーチング３を備える排水構造、および、側溝ブロック１によれば、側溝ブロック１の、嵌合凹部７が設けられた側の側壁、つまり、一方の側壁１ａに、第一凹部８と連通する第二凹部９が設けられているが、この第二凹部９を設けなくてもよく、また、第一凹部８および第二凹部９の両方を設けなくてもよい。
【００８９】
また、第三の実施の形態に示すグレーチング３、そのグレーチング３を備える排水構造、および、側溝ブロック１によれば、側溝ブロック１の、複数の隔て板２８、２８は、二枚の板材２８ａ、２８ａからなるが、図２０に示す第四の実施の形態のように、複数の隔て板２８、２８は、一枚の板材２８ａからなっていてもよい。この場合、グレーチング３の排水路１２に通じる、第一連通部２９は、上方に開口するように形成されるとともに、嵌合凹部７の底面７ａに至るまで連続して形成された、切欠であってもよい。なお、第一および第二の実施の形態に示す側溝ブロック１においても、複数の隔て板２８、２８を、嵌合凹部７が設けられた一方の側壁１ａに、嵌合凹部７の、外側の側方を覆うようにして立設してもよい。また、第三の実施の形態においても、嵌合凹部７が設けられた側の側壁、つまり、一方の側壁１ａに、嵌合凹部７の底面７ａから凹んで、一方の側壁１ａの両側方へと開口する、第一凹部８を、凹部３１に連通するようにして設けてもよい。これにより、嵌合部１１よりも下方に染み込んだ雨水等を、第一凹部８から、その第一凹部８と連通する凹部３１に通して、側溝ブロック１内の水路Ｓに、確実に排水することができるようになる。
【００９０】
また、第三の実施の形態に示すグレーチング３、そのグレーチング３を備える排水構造、および、側溝ブロック１において、グレーチング３は、前記嵌合部１１の先端部から、側溝ブロック１内に通じる、排水路１２を備えているが、図２１および図２２に示す第五の実施の形態のように、グレーチング３は、前記嵌合部１１の先端部から、側溝ブロック１内に通じる、排水路１２を備えていないようなものであってもよい。すなわち、このグレーチング３の嵌合部１１は、第一基台２５と第二基台２６上に間隔を置いて複数並設された枠体２７、２７の内の、一つの枠体２７（図示実施の形態においては、中央の枠体２７、２７）から延びる、延出枠体部１７からなる。そして、この嵌合部１１は、その側面と、嵌合凹部７の側面７ｂとの間に、側溝ブロック１内に通じる集水間隙Ｋ２ができるように、嵌合凹部７よりも幅狭に形成されている。
【００９１】
また、側溝ブロック１の、一方の側壁１ａには、嵌合凹部７の、外側の側方を覆うようにして立設された、透水性道路２と嵌合凹部７とを隔てる、一枚の隔て板２８が設けられている。この隔て板２８は、例えば、縦断面Ｌ字形状の板材２８ａからなり、この隔て板２８の側部と、嵌合凹部７の側面７ｂ端部との間に、間隙からなる連通部３２が形成されている。また、この連通部３２は、グレーチング３の嵌合部１１の側面と、嵌合凹部７の側面７ｂとの間に形成された、集水間隙Ｋ２に連通している。
【００９２】
そして、この第五の実施の形態によれば、側溝ブロック１との際あたりで、透水性道路２の舗装面２ｃの転圧を十分に行うことができない等の理由により、部分的に窪んで、その窪みＭに溜まった雨水等、あるいは、透水層２ａに染み込んだ雨水等は、連通部３２を通って、嵌合部１１の側面と、嵌合凹部７の側面７ｂとの間に形成された、集水間隙Ｋ２に流れて、側溝ブロック１内に排水されるようになっている（図示実施の形態においては、集水間隙Ｋ２を通った雨水等は、さらに、枠体２７、２７間の間隙を通って、側溝ブロック１内に排水される。）。また、嵌合部１１は、隔て板２８によって覆われるので、例えば、透水性道路２を構成する透水層２ａのアスファルトあるいはポーラスコンクリート等と、嵌合部１１の先端部とが縁切りされて、グレーチング３を、側溝ブロック１から、容易に取り外すことができる。しかも、グレーチング３を取り外しても、隔て板２８が、嵌合凹部７の、外側の側方を覆っているので、嵌合凹部７内に、透水性道路２を構成する透水層２ａの一部が、脱落しないようにすることができる。なお、この第五の実施の形態においても、第一および第二の実施の形態と同様に、嵌合凹部７の底面７ａから凹んで、一方の側壁１ａの両側方へと開口する、第一凹部８を設けてもよく、しかも、第一凹部８と連通し、かつ、第一段部５から凹んで、側溝ブロック１内の水路Ｓに開口する、第二凹部９を設けてもよい。また、この第五の実施の形態においても、グレーチング３のグレーチング本体１０は、第一の実施の形態と同様に、第一グレーチング本体と、第二グレーチング本体との分割体から構成されていてもよい。また、グレーチング本体１０は、必ずしも複数の枠体２７を備えている必要はなく、単体の枠体２７から構成されるものであっても構わない。また、この第五の実施の形態においては、透水性道路２と嵌合凹部７とを隔てる、一枚の隔て板２８が設けられているが、必ずしも隔て板２８を設ける必要はない。
【００９３】
また、第一ないし第五の実施の形態に示す側溝ブロック１は、Ｕ字型側溝ブロックであるが、上方に開口する開口部を備えるのであれば、それ以外の側溝ブロック、例えば、暗渠型側溝ブロック、底が開放された勾配可変型側溝ブロック等であってもよく、特に限定されない。また、道路は、透水層２ａと不透水層２ｂとを備える透水性道路２でなく、透水性がない道路であってもよい。
【００９４】
また、第一ないし第五の実施の形態に示すグレーチング３、そのグレーチング３を備える排水構造、および、側溝ブロック１によれば、側溝ブロック１の、一方の側壁１ａにのみ嵌合凹部７（および隔て板２８）が設けられているが、側溝ブロック１の、他方の側壁１ｂにも嵌合凹部７（および隔て板２８）を設けてもよく、この場合、グレーチング３の嵌合部１１は、グレーチング本体１０の一方側および他方側に設けられる。また、側溝ブロック１の一方の側壁１ａに二つ以上の嵌合凹部７を設けて、グレーチング３を、一つの側溝ブロック１に、二つ以上配置するようにしてもよい。
【００９５】
また、第一ないし第五の実施の形態に示すグレーチング３、そのグレーチング３を備える排水構造、および、側溝ブロック１において、基台（第一基台１５、２５、第二基台１８、２６）は、必ずしも角パイプ状である必要はなく、例えば、アングル形状、あるいはチャンネル形状からなるものであってもよく、その形状は、特に限定されない。また、各第一枠体１６、各第二枠体１９および各枠体２７は、基台（第一基台１５、２５、第二基台１８、２６）および固定部材Ｑを省略することができる。また、嵌合部１１には、必ずしも、排水口Ｈが形成される必要はない。
【００９６】
また、本発明に係るグレーチング３、および、そのグレーチング３を備える排水構造は、工場生産時において、予め嵌合凹部７が形成されている側溝ブロック１のみならず、工場生産された後、例えば、道路に設置された後に、前記嵌合凹部７を形成した側溝ブロックに適用できることは勿論である。
【００９７】
【発明の効果】
請求項１に記載されたグレーチングによれば、第一グレーチング本体の、延出枠体部が延びる複数の第一枠体を、間隔を置いて並設するという簡単な構成で、側方に開口するとともに、上方および下方に開口する、排水路を形成することにより、道路表面上を流れてくる雨水等を排水口および排水路から排水するとともに、側溝ブロックとの際にできた窪みに溜まる雨水等を、前記排水路から、側溝ブロック内に排水することもできる。しかも、その窪みの深さが、嵌合部の先端部の上端から下端までの範囲内での下がりによる窪みであれば、その窪みの深さに関わりなく、窪みに溜まった雨水等を、側溝ブロック内に排水することができる。よって、前記窪みに溜まる雨水等の排水性に優れる。また、道路が、透水層を備える透水性道路の場合においては、その透水層に染み込んだ雨水等を、前記排水路から、側溝ブロック内に排水することができる。さらに、嵌合部が延びる第一グレーチング本体を、側溝ブロックに残して、第二グレーチング本体だけを、側溝ブロックから取り外すことができるので、側溝ブロックの水路の清掃などメンテナンス性に優れる。
【００９８】
また、請求項２に記載されたグレーチングによれば、加えて、例えば、側溝ブロックに、第一グレーチング本体が固着されている場合には、固着手段を用いることにより、第二グレーチング本体を、側溝ブロックから外れないようにすることができる。
【００９９】
また、請求項３に記載されたグレーチングによれば、加えて、前記嵌合凹部が設けられた側の側壁の第一段部に、第一グレーチング本体の第一基台を載せ、その後、第一グレーチング本体の載置部に、第二グレーチング本体の、第二枠体の一方の端部を載せるようにして、嵌合凹部が設けられた側とは反対側の側壁の第二段部に、第二グレーチング本体の第二基台を載せることにより、第一グレーチング本体の第一枠体と、第二グレーチング本体の第二枠体とを、側溝ブロックの開口部に、確実に配置することができる。
【０１００】
また、請求項４に記載されたグレーチングによれば、加えて、載置部の構成を簡素化することができる。
【０１０１】
また、請求項５に記載されたグレーチングによれば、第一グレーチング本体の、延出枠体部が延びる複数の枠体を、間隔を置いて並設するという簡単な構成で、側方に開口するとともに、上方および下方に開口する、排水路を形成することにより、道路表面上を流れてくる雨水等を排水口および排水路から排水するとともに、側溝ブロックとの際にできた窪みに溜まる雨水等を、前記排水路から、側溝ブロック内に排水することもできる。しかも、その窪みの深さが、嵌合部の先端部の上端から下端までの範囲内での下がりによる窪みであれば、その窪みの深さに関わりなく、窪みに溜まった雨水等を、側溝ブロック内に排水することができる。よって、前記窪みに溜まる雨水等の排水性に優れる。また、道路が、透水層を備える透水性道路の場合においては、その透水層に染み込んだ雨水等を、前記排水路から、側溝ブロック内に排水することができる。
【０１０２】
また、請求項６に記載されたグレーチングによれば、加えて、嵌合凹部に、嵌合部を嵌めるようにして、側壁の蓋掛かり段部に、グレーチング本体の基台を載せることにより、グレーチング本体の、複数の枠体を、側溝ブロックの開口部に、確実に並列配置することができる。
【０１０３】
また、請求項７に記載されたグレーチングによれば、道路表面上を流れてくる雨水等を排水口から排水することができ、しかも、側溝ブロックとの際にできた窪みに溜まる雨水等、あるいは、透水性道路の透水層に染み込んだ雨水等を、嵌合部と嵌合凹部の側面との間の集水間隙から側溝ブロック内に排水することもできる。
【０１０４】
また、請求項８に記載されたグレーチングを備える排水構造によれば、道路表面上を流れてくる雨水等を排水口および排水路から排水するとともに、側溝ブロックとの際にできた窪みに溜まる雨水等を、前記排水路から、側溝ブロック内に排水することもできる。そして、前記窪みの深さが、嵌合部の先端部の上端から下端までの範囲内での下がりによる窪みであれば、その窪みの深さに関わりなく、窪みに溜まった雨水等を、側溝ブロック内に排水することができる。よって、前記窪みに溜まる雨水等の排水性に優れる。
【０１０５】
また、請求項９に記載されたグレーチングを備える排水構造によれば、加えて、側溝ブロックの嵌合凹部に嵌められた嵌合部よりも下方に位置するように、第一凹部が設けられているので、道路が透水性道路の場合、前記嵌合部よりも下方に染み込んだ雨水等を、前記第一凹部から、側溝ブロック内に排水することができる。
【０１０６】
また、請求項１０に記載されたグレーチングを備える排水構造によれば、加えて、第一凹部を通った雨水等を、その第一凹部と連通する第二凹部に通して、側溝ブロック内の水路に、確実に排水することができる。
【０１０７】
また、請求項１１に記載されたグレーチングを備える排水構造によれば、加えて、雨水等を、嵌合部と嵌合凹部の側面との間の集水間隙からも、側溝ブロック内に排水することができる。
【０１０８】
また、請求項１２に記載されたグレーチングを備える排水構造によれば、加えて、側溝ブロック内に、小石等の固形物を入れないようにすることができる。
【０１０９】
また、請求項１３に記載されたグレーチングを備える排水構造によれば、道路表面上を流れてくる雨水等を排水口から排水するとともに、側溝ブロックとの際にできた窪みに溜まる雨水等を、嵌合部と嵌合凹部の側面との間の集水間隙から、側溝ブロック内に排水することもできる。
【０１１０】
また、請求項１４に記載されたグレーチングを備える排水構造によれば、道路表面上を流れてくる雨水等を排水口および排水路から排水することができ、しかも、側溝ブロックとの際にできた窪みに溜まった雨水等、あるいは、透水性道路の透水層に染み込んだ雨水等を、排水路から、側溝ブロック内に排水することができる。そして、前記窪みの深さが、嵌合部の先端部の上端から下端までの範囲内での下がりによる窪みであれば、その窪みの深さに関わりなく、窪みに溜まった雨水等を、側溝ブロック内に排水することができる。よって、前記窪みに溜まる雨水等の排水性に優れる。また、グレーチングを、側溝ブロックから、容易に取り外すことができる。しかも、嵌合凹部から、嵌合部を取り外したとしても、前記嵌合凹部内に、道路の一部が、脱落しないようにすることができる。
【０１１１】
また、請求項１５に記載されたグレーチングを備える排水構造によれば、加えて、雨水等を、第一連通部としての、板材間に形成された間隙を介して、排水路から、側溝ブロック内に排水することができる。
【０１１２】
また、請求項１６に記載されたグレーチングを備える排水構造によれば、加えて、嵌合部と嵌合凹部の側面との間の集水間隙からも、側溝ブロック内に排水することができる。
【０１１３】
また、請求項１７に記載されたグレーチングを備える排水構造によれば、加えて、側溝ブロック内に、小石等の固形物を入れないようにすることができる。
【０１１４】
また、請求項１８に記載されたグレーチングを備える排水構造によれば、道路表面上を流れてくる雨水等を排水口から排水することができ、しかも、側溝ブロックとの際にできた窪みに溜まった雨水等、あるいは、透水性道路の透水層に染み込んだ雨水等を、嵌合部と嵌合凹部の側面との間の集水間隙から、側溝ブロック内に排水することができる。また、グレーチングを、側溝ブロックから、容易に取り外すことができる。しかも、嵌合凹部から、嵌合部を取り外したとしても、前記嵌合凹部内に、道路の一部が、脱落しないようにすることができる。
【０１１５】
また、請求項１９に記載されたグレーチングを備える排水構造によれば、加えて、グレーチングの排水路、排水口あるいは集水間隙を通って、蓋掛かり段部に雨水等が流れた場合、その蓋掛かり段部上の雨水等を、凹部から、側溝ブロック内の水路に、確実に排水することができる。
【０１１６】
また、請求項２０に記載された側溝ブロックによれば、グレーチングを、側溝ブロックから、容易に取り外すことができる。しかも、グレーチングを取り外したとしても、前記嵌合凹部内に、道路の一部が、脱落しないようにすることができる。
【０１１７】
また、請求項２１に記載された側溝ブロックによれば、加えて、雨水等を、第一連通部としての、板材間に形成された間隙を介して、排水路から、側溝ブロック内に排水することができる。
【０１１８】
また、請求項２２に記載された側溝ブロックによれば、加えて、嵌合部と嵌合凹部の側面との間の集水間隙からも、側溝ブロック内に排水することができる。
【０１１９】
また、請求項２３に記載された側溝ブロックによれば、グレーチングを、側溝ブロックから、容易に取り外すことができる。しかも、グレーチングを取り外したとしても、前記嵌合凹部内に、道路の一部が、脱落しないようにすることができる。
【図面の簡単な説明】
【図１】この発明に係るグレーチング、そのグレーチングを用いた排水構造および側溝ブロックの、第一の実施の形態の平面図である。
【図２】同じく、要部拡大図である。
【図３】同じく、側面図である。
【図４】図３におけるＡ−Ａ線による断面図である。
【図５】図３におけるＢ−Ｂ線による断面図である。
【図６】図３におけるＣ−Ｃ線による断面図である。
【図７】同じく、分解斜視図である。
【図８】この発明に係るグレーチング、そのグレーチングを用いた排水構造および側溝ブロックの、第二の実施の形態の平面図である。
【図９】同じく、要部拡大図である。
【図１０】同じく、側面図である。
【図１１】図１０におけるＤ−Ｄ線による断面図である。
【図１２】図１０におけるＥ−Ｅ線による断面図である。
【図１３】図１０におけるＦ−Ｆ線による断面図である。
【図１４】同じく、分解斜視図である。
【図１５】この発明に係るグレーチング、そのグレーチングを用いた排水構造および側溝ブロックの、第三の実施の形態の平面図である。
【図１６】同じく、側面図である。
【図１７】図１６におけるＧ−Ｇ線による断面図である。
【図１８】図１６におけるＩ−Ｉ線による断面図である。
【図１９】同じく、分解斜視図である。
【図２０】この発明に係るグレーチング、そのグレーチングを用いた排水構造および側溝ブロックの、第四の実施の形態の、図１６相当図である。
【図２１】この発明に係るグレーチング、そのグレーチングを用いた排水構造および側溝ブロックの、第五の実施の形態の、図１６相当図である。
【図２２】同じく、分解斜視図である。
【符号の説明】
１　　　側溝ブロック
１ａ　　一方の側壁（側壁）
１ｂ　　他方の側壁（側壁）
２　　　透水性道路（道路）
３　　　グレーチング
４　　　開口部
５　　　第一段部
６　　　第二段部
７　　　嵌合凹部
７ａ　　嵌合凹部の底面
７ｂ　　嵌合凹部の側面
８　　　第一凹部
９　　　第二凹部
１０　　グレーチング本体
１１　　嵌合部
１２　　排水路
１２ａ　集水口部
１３　　第一グレーチング本体
１３ａ　載置部
１４　　第二グレーチング本体
１５　　第一基台
１６　　第一枠体
１７　　延出枠体部
１８　　第二基台
１９　　第二枠体
２０　　第一排水路（間隙）
２１　　第二排水路（間隙）
２２　　第三排水路（間隙）
２５　　第一基台（基台）
２６　　第二基台（基台）
２７　　枠体
２８　　隔て板
２８ａ　板材
２９　　第一連通部
３０　　第二連通部
３１　　凹部
３２　　連通部
Ｈ　　　排水口
Ｋ２　　集水間隙
Ｋ３　　第一排水路（間隙）
Ｋ４　　第二排水路（間隙）
Ｎ　　　固着手段
Ｐ　　　吸出し防止材
Ｒ　　　蓋掛かり段部
Ｓ　　　水路
【図１】
2004003249.tif 000003
【図２】
2004003249.tif 000004
【図３】
2004003249.tif 000005
【図４】
2004003249.tif 000006
【図５】
2004003249.tif 000007
【図６】
2004003249.tif 000008
【図７】
2004003249.tif 000009
【図８】
2004003249.tif 000010
【図９】
2004003249.tif 000011
【図１０】
2004003249.tif 000012
【図１１】
2004003249.tif 000013
【図１２】
2004003249.tif 000014
【図１３】
2004003249.tif 000015
【図１４】
2004003249.tif 000016
【図１５】
2004003249.tif 000017
【図１６】
2004003249.tif 000018
【図１７】
2004003249.tif 000019
【図１８】
2004003249.tif 000020
【図１９】
2004003249.tif 000021
【図２０】
2004003249.tif 000022
【図２１】
2004003249.tif 000023
【図２２】
2004003249.tif 000024
【手続補正書】
【提出日】平成14年8月9日(2002.8.9)
【手続補正１】
【補正対象書類名】明細書
【補正対象項目名】０００４
【補正方法】変更
【補正の内容】
【０００４】
もっとも、側溝ブロックとの際に溜まった雨水を、その側溝ブロック内に排水することができるようにした発明として、例えば、特開平１１−２６９９６９に示される導水用部材があった。この導水用部材は、側溝ブロックの側壁または上壁に形成された、その外面から内面に連通する孔部または切欠部に装着されるものであって、板状基壁を備えていた。この板状基壁の表裏面間には、地中水または側溝ブロック側壁に接する地表水を側溝ブロック内へと導水するための、導入孔（以下、接水導入孔と称する。）が設けられており、また、前記板状基壁の上部から延出される延設壁あるいは前記板状基壁の上側面には、地表水を側溝ブロック内へと導水するための、地表水導入孔が設けられていた。そして、道路の陥没等によって生じた、側溝ブロックに接する段差部分等の窪みに溜まった雨水等を、前記接水導入孔から、側溝ブロック内に導水していた。


【手続補正２】
【補正対象書類名】明細書
【補正対象項目名】０００５
【補正方法】変更
【補正の内容】
【０００５】
ところが、この導水用部材においては、地表水導入孔と、接水導入孔とを、それぞれ異なる方向に、すなわち、地表水導入孔を上方に、また、接水導入孔を側方に、それぞれ開口させるため、地表水導入孔と接水導入孔とが、異なる方向に開口するように導水用部材を構成する必要があり、その構造が複雑となった。